(57)【要約】【課題】ドレン排出口に負圧が作用したとしても、ドレン排出口からドレンアップキット側へドレン水が流れ難くなることがないドレンアップキットを提供する。【解決手段】空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットにおいて、ドレン収容部に、ドレンポンプの吸込口よりも下側にドレン排出口から流れるドレン水の流入口を形成した。【選択図】図５
2008075952.tif 000002
【特許請求の範囲】
【請求項１】
空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットにおいて、
前記ドレン収容部に、前記ドレンポンプの吸込口よりも下側に前記ドレン排出口から流れるドレン水の流入口を配置したことを特徴とするドレンアップキット。
【請求項２】
前記ドレン収容部の底部よりも上側にドレンポンプの吸込口を配置する一方、このドレン収容部の底部に凹部を形成し、この凹部に前記ドレン排出口から流れるドレン水の流入口を配置したことを特徴とする請求項１に記載のドレンアップキット。
【請求項３】
空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットが取り付けられられる空気調和装置において、
前記ドレンアップキットのドレン収容部に、前記ドレンポンプの吸込口よりも下側に前記排出口から流れるドレン水の流入口を配置したことを特徴とする空気調和装置。
【請求項４】
前記ドレン排出口が室内送風機の吸い込み側に配置されていることを特徴とする請求項３に記載の空気調和装置。
【発明の詳細な説明】
【技術分野】
【０００１】
本発明は、室内機内で発生するドレン水を室外に排出するためのドレンアップキット、およびこのドレンアップキットが取り付けられる空気調和装置に関する。
【背景技術】
【０００２】
空気調和装置で使用する室内機には、室内熱交換器で発生する水滴（ドレン水）を下側で受けるドレンパンが設けられている。例えば、天井埋込型空気調和装置では、ユニット本体の下側に底面が傾斜したドレンパンを配設し、このドレンパンの傾斜の最も下側の位置に設けられたドレン排出口からドレン水を排出するようになっている。
【０００３】
室内機の外部に排出されるドレン水は、ドレン排出口から下り傾斜に配管された管路を下り、室外へ排出されることになる。しかし、この管路を下り傾斜に配管できない場合には、ドレン水を一旦上側に汲み上げる必要があるため、ポンプ装置を内蔵したドレンアップキットを取り付ける必要がある（例えば、特許文献１参照）。
【特許文献１】特開２００６−１６２２２２号公報
【発明の開示】
【発明が解決しようとする課題】
【０００４】
しかしながら、このドレン排出口が室内送風機の上流側（室内送風機の吸い込み側）にある場合には、室内送風機を運転させると上流側が負圧となるため、ドレンアップキット側の空気（天井空間の空気、及びドレンアップキット内の空気）が負圧側のドレン排出口へ吸い込まれ、室内機側のドレン水がドレンアップキット側に流れ難くなってしまう。
【０００５】
本発明は、上述した事情に鑑みてなされたものであり、ドレン排出口に負圧が作用したとしても、ドレン排出口からドレンアップキット側へドレン水が流れ難くなることがないドレンアップキット、およびこのドレンアップキットが取り付けられる空気調和装置を提供することを目的とする。
【課題を解決するための手段】
【０００６】
本発明では、空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットにおいて、前記ドレン収容部に、前記ドレンポンプの吸込口よりも下側に前記ドレン排出口から流れるドレン水の流入口を配置したことを特徴とする。
この構成によれば、ドレン水がドレンポンプの吸込口よりも下側に溜まることになるので、この溜まったドレン水の中に流入口が浸水した状態になり、この溜まったドレン水によって天井空間の空気、及びドレンアップキット内の空気がドレン排出口へ流れないようにすることができる。
【０００７】
この場合において、前記ドレン収容部の底部よりも上側にドレンポンプの吸込口を配置する一方、このドレン収容部の底部に凹部を形成し、この凹部に前記ドレン排出口から流れるドレン水の流入口を配置してもよい。
この構成によれば、より確実に、ドレン水がドレンポンプの吸込口よりも下側に溜まるようにすることができる。
【０００８】
一方、本発明では、空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットが取り付けられられる空気調和装置において、前記ドレンアップキットのドレン収容部に、前記ドレンポンプの吸込口よりも下側に前記排出口から流れるドレン水の流入口を配置したことを特徴とする。
この構成によれば、ドレン水がドレンポンプの吸込口よりも下側に溜まることになるので、この溜まったドレン水の中に流入口が浸水した状態になり、天井空間の空気、及びドレンアップキット内の空気がドレン排出口へ流れないようにすることができる。
【０００９】
また、前記ドレン排出口が室内送風機の一次側に配置されていてもよい。
この構成によれば、ドレン排出口に負圧が作用することになるが、ドレンパンの任意の位置に排出口を配置することができる。
【発明の効果】
【００１０】
本発明によれば、空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットにおいて、前記ドレン収容部に、前記ドレンポンプの吸込口よりも下側に前記ドレン排出口から流れるドレン水の流入口を配置したことにより、ドレン水がドレンポンプの吸込口よりも下側に溜まることになるので、この溜まったドレン水の中に流入口が浸水した状態になり、天井空間の空気、及びドレンアップキット内の空気がドレン水によってドレン排出口側へ流れないようにすることができる。その結果、ドレン排出口にドレンアップキット側から空気が流れてこなくなるので、室内機側のドレン水がドレンアップキット側に流れ難くなるのを防止することができる。
【００１１】
また、空調を行う室内機の負圧が作用するドレン排出口に接続され、このドレン排出口から流れるドレン水を収容するドレン収容部と、この収容部からドレン水を汲み上げるためのドレンポンプとを備えたドレンアップキットが取り付けられられる空気調和装置において、前記ドレンアップキットのドレン収容部に、前記ドレンポンプの吸込口よりも下側に前記排出口から流れるドレン水の流入口を配置したことにより、ドレン水がドレンポンプの吸込口よりも下側に溜まることになるので、この溜まったドレン水の中に流入口が浸水した状態になり、天井空間の空気、及びドレンアップキット内の空気がドレン水によってドレン排出口側へ流れないようにすることができる。その結果、ドレン排出口にドレンアップキット側から空気が流れてこなくなるので、室内機側のドレン水がドレンアップキット側に流れ難くなるのを防止することができる。
【発明を実施するための最良の形態】
【００１２】
本発明の実施の形態について図を参照しながら以下に説明する。なお、本実施の形態では、空気調和装置の一例として、ダクト使用ビルトイン型空気調和装置を用いて説明する。
【００１３】
図１は、本発明の実施の形態に係るドレンアップキットを備えたダクト仕様ビルトイン型空気調和機をそれぞれ示す側面図、図２は、図１のダクト仕様ビルトイン型空気調和機の一部を示す斜視図である。
ダクト仕様ビルトイン型空気調和機１は、図１に示すように、建屋３１の天井３２と天井板３３との間の天井空間３４内に懸吊して配設され、主にユニット本体３５、及び吹出ダクト３６を備えている。
【００１４】
上記ユニット本体３５は、四角い箱形形状をなしており、４枚の側板３８Ａ〜３８Ｄと、上縁部に位置する天板３９と、下縁部の一部を形成する底板４６とを備えている。また、この底板４６の下側には、室内熱交換器で発生するドレン水を受けるためのドレンパン４０がユニット本体３５の下面を覆うように設けられている。これらの側板３８Ａ〜３８Ｄ及び天板３９の内外表面には、断熱材が貼着されている。このユニット本体３５の側板３８Ｃ、３８Ｄには、吊り金具４１が固定されており、この吊り金具４１が、建屋３１の天井３２から垂下された吊りボルト４２によって懸吊されている。
【００１５】
このユニット本体３５の内部には、図１に点線で示すように、室内熱交換器６５、室内送風機６６が収容されている。室内熱交換器６５は、図２に示す冷媒配管接続口４３に接続された冷媒配管（液管）、及び冷媒配管接続口４４に接続された冷媒配管（ガス管）を用いて、図示しない室外機に接続される。ユニット本体３５内の室内熱交換器６５は、室外機から導かれる冷媒の蒸発または凝縮により、後述の如くユニット本体３５内に吸い込まれた空気を冷却し又は暖房するようになっている。
【００１６】
吹出ダクト３６は、図１に示すように、複数本がユニット本体３５から延設されている。吹出ダクト３６のそれぞれは、ユニット本体３５の側板３８Ａに一体に設置された吹出口４７（図２参照）に一端が嵌装され、他端が天井板３３に設けられた吹出グリル４８に嵌装されている。この吹出グリル４８は、天井板３３の適宜位置に設置されている。
【００１７】
ところで、図１及び図２に示すダクト仕様ビルトイン型空気調和機１には、吹出口４７が設置された側板３８Ａに対向する側板（すなわちダクト仕様ビルトイン型空気調和機１の側板３８Ｂ）に、図示しない吸込開口が形成されている。この吸込開口には、例えば空気中の塵埃を取り除くためのフィルタボックス５１が取り付けられ、このフィルタボックス５１には、１本の吸込ダクト５２が取り付けられる。この吸込ダクト５２は、その一端がフィルタボックス５１の吸込開口に接続され、他端が天井板３３に設けられた吸込グリル５３に嵌装されている。この吸込グリル５３は、天井板３３の適宜位置に設置されている。
【００１８】
図３は、図１のユニット本体３５及びフィルタボックス５１を拡大して示したものであって、図１とは反対側の側面から見た図である。また、図４は、図３の平面図を示し、図５は、図３に示すドレンアップキットの取付け部を拡大してものであって、ドレンアップキットの本体部１１０のみを断面で示したものである。この図３から図５では、室内空気は、図１及び図２とは反対方向であって、矢印７０の方向に送流されることになる。
【００１９】
ドレンパン４０には、図３から図５に示すように、フィルタボックス５１側（室内空気が送流される上流側）の下側にドレン排出口４０ａが設けられており、このドレン排出口４０ａの付近には、ドレンアップキット１００を取り付けられるようになっている。このドレンアップキット１００は、ドレン排水を流す管路に下り傾斜を付けることができない場合にオプションとして取り付けられるものである。また、ドレン排出口４０ａとドレンアップキット１００とは、配管１０２によって接続されており、この配管１０２は、ドレンパン４０内のドレン水が自重によってドレンアップキット１００に流れるように傾斜を付けて取り付けられている。
【００２０】
ドレンアップキット１００は、図５に示すように、ドレン水を収容する本体部１１０と、この本体部の上側に取り付けられるトップカバー１２０とを備えており、このトップカバー１２０の側部に設けられた取付金具１０１によってユニット本体３５の側板３８Ｄにねじ等の締結部材１０３によって着脱自在に取り付けられている。
【００２１】
本体部１１０は、発泡材によって形成されており、図５に示すように、上側に開口を有する箱形形状をなしており、その内部空間がドレン収容部１１１になっている。また、このドレン収容部１１１の底面１１１ａには、この底面１１１ａの一部を下側に凹ませた凹部１１３が形成されている。この凹部１１３は、ドレン排出口４０ａに近い部分に設けられており、凹部１１３の側壁部１１３ａ（底面１１１ａよりも下側に位置する）には、本体部１１０の外側まで貫通する流入口１１４が形成されている。この流入口１１４には、上述したドレン排出口４０ａから延びる配管１０２が水密に接続されている。
【００２２】
また、凹部１１３の側壁面１１３ｂは、図５に示すように、底面１１１ａから流入口１１４側に向かって傾斜する形状を有しており、溜められたドレン水が流入口１１４に向かって集まるようになっている。
【００２３】
トップカバー１２０は、下側に開口を有する箱形形状をなしており、本体部１１０の上側開口を塞ぐ態様で取り付けられている。このトップカバー１２０の内側には、図５に示すように、ドレンポンプ１２１が取り付けられている。このドレンポンプ１２１は、吸込口１２１ａが下側を向くように取り付けられており、トップカバー１２０を本体部１１０に組み付けた状態で、この吸込口１２１ａがドレン収容部１１１の内部に入り込み、かつこの吸込口１２１ａが底面１１１ａの上方に位置するようになっている。なお、このドレンポンプ１２１は、図示しない配線によって制御装置に接続され、電力および動作信号が供給されるようになっている。
【００２４】
また、このトップカバー１２０には、図５に示すように、ドレンポンプ１２１で汲み上げたドレン水を上方に導くための配水管１２２が上方に向けて延びるように設けられており、この配水管１２２の上端部には、さらにドレン水を上方へ導くための配水管１２４（図３において二点差線で示す）を取り付けることができるようになっている。
一方、トップカバー１２０の側面には、図５に示すように、天井空間の空気がドレンアップキット１００内に自由に入出できるように、空気孔１２３が形成されている。
【００２５】
このドレンアップキット１００を側板２８Ｄに取り付けた状態では、ドレン排出口４０ａの高さ方向の位置は、ドレンポンプ１２１の吸込口１２１ａと同じか、又は高い位置になっている。これにより、ドレン排出口４０ａから流れるドレン水は、ドレン収容部１１１においてドレン排出口４０ａの高さ位置と同じ高さにドレン水の水面がなるように流れ、ドレンポンプ１２１でドレン水を汲み上げることができる。
【００２６】
次に、本発明の実施の形態に係るドレンアップキット及びダクト仕様ビルトイン型空気調和装置の作用について説明する。
空調運転を開始すると、ユニット本体３５内の室内送風機６６が送風を開始する。詳細には、室内空気は、図１に示すように、吸込グリル５３から取り込まれ（吸い込まれ）、フィルタボックス５１を通過した後に、室内熱交換器６５により熱交換される。その後、熱交換された空気が室内送風機６６に吸い込まれ、この室内送風機６６から送風され、吹出ダクト３６を経由して吹出グリル４８から室内へ吹き出されることになる。
【００２７】
このとき、ユニット本体３５の内部であって、室内送風機６６よりも上流側（室内送風機６６の空気吸い込み側）の部分は、空気が室内送風機６６によって吸い込まれることにより、負圧になる。また、ドレン排出口４０ａは、上述した上流側に配置されていることにより、このドレン排出口４０ａの周囲には、空調運転中、常に負圧が生じることになる。このとき、天井空間の空気は、このドレン排出口４０ａの周囲よりも高い圧力を有するため、ドレンアップキット１００の空気孔１２３又はドレンアップキット１００の隙間部分から、ドレン収容部１１１、流入口１１４、配管１０２を通ってドレン排出口４０ａへ流れようとする。
【００２８】
一方、ドレンアップキット１００内に配置されたドレンポンプ１２１の吸込口１２１ａは、ドレン収容部１１１の底面１１１ａよりも高い位置にあるため、ドレン水はこの吸込口１２１ａよりも下側であって、少なくとも底面１１１ａよりも低い位置に溜まった状態となる。また、ドレンアップキット１００の流入口１１４は、底面１１１ａよりも低い位置である凹部１１３の側壁部１１３ａに形成されているので、溜まったドレン水の中に位置することになる。そのため、溜まったドレン水が流入口１１４を塞ぐ状態となり、天井空間の空気は、ドレン排出口４０ａへ流れることがない。そのため、ドレン水がドレン排出口４０ａから流入口１１４まで流れるのを妨げないようにすることができる。
【００２９】
本発明の実施の形態に係るドレンアップキット及びこのドレンアップキットを備えた空気調和装置によれば、ドレンポンプ１２１の吸込口１２１ａよりも下側に流入口１１４を配置したことにより、ドレン水がドレンポンプ１２１の吸込口１２１ａよりも下側に溜まることになる。そのため、ドレン排出口４０ａの周囲に負圧が作用したとしても、この溜まったドレン水の中に流入口１１４が浸水した状態になり、ドレンアップキット１００内の空気がドレン水によってドレン排出口４０ａ側へ流れないようにすることができる。その結果、ドレン排出口４０ａにドレンアップキット１００側から空気が流れてこなくなるので、ドレン水がドレンアップキット１００側に流れ難くなるのを防止することができる。
【００３０】
また、底面１１１ａよりも下側に凹んだ凹部１１３を設け、この凹部１１３の側壁部１１３ａに流入口１１４を設けたことにより、確実に流入口１１４をドレン水で塞ぐことができる。これにより、ドレン水がドレンアップキット１００側に流れ難くなるのを防止することができる。
【００３１】
さらに、ドレン排出口４０ａの付近にドレンアップキット１００を取り付けることができるので、取付作業者は、ドレンアップキット１００に短い管路１０２を取り付けるだけで、容易に配管作業を行うことができる。
【００３２】
以上、本発明を実施するための最良の形態について述べたが、本発明は既述の実施形態に限定されるものではなく、本発明の技術思想に基づいて各種の変形および変更が可能である。
例えば、本実施の形態では、ダクト仕様ビルトイン型空気調和機１について説明したが、ドレン排出口４０ａに負圧が作用する場合であって、かつ、ドレン水を排出するためにドレンアップキット１００を設ける必要がある場合には、他の型の空気調和装置であっても本発明の技術的思想に基づく構成を用いて具現化することができる。
【図面の簡単な説明】
【００３３】
【図１】本発明の実施の形態に係るドレンアップキットを備えたダクト仕様ビルトイン型空気調和機の側面図である。
【図２】図１のダクト仕様ビルトイン型空気調和機の一部を示す斜視図である。
【図３】図１のユニット本体を拡大して示したものであって、図１とは反対側の側面から見た側面図である。
【図４】図３の平面図である。
【図５】図３に示すドレンアップキットの取付け部を拡大したものであって、ドレンアップキットの本体部のみを断面で示したものである。
【符号の説明】
【００３４】
１  ダクト仕様ビルトイン型空気調和機
３４  天井空間
３５  ユニット本体
３６  吹出ダクト
３８Ａ〜３８Ｄ  側板
３９  天板
４０  ドレンパン
４０ａ  ドレン排出口
４１  金具
４６  底板
４７  吹出口
４８  吹出グリル
５１  フィルタボックス
５２  吸込ダクト
５３  吸込グリル
６５  室内熱交換器
６６  室内送風機
７０  矢印
１００  ドレンアップキット
１０１  取付金具
１０２  配管
１０３  締結部材
１１０  本体部
１１１  ドレン収容部
１１１ａ  底面
１１３  凹部
１１３ａ  側壁部
１１４  流入口
１２０  トップカバー
１２１  ドレンポンプ
１２１ａ  吸込口
１２２、１２４  配水管
１２３  空気孔
【図１】
2008075952.tif 000003
【図２】
2008075952.tif 000004
【図３】
2008075952.tif 000005
【図４】
2008075952.tif 000006
【図５】
2008075952.tif 000007